(57)【要約】本発明は、重金属及び除草剤等の有害物質に対する耐性及び／又は蓄積性を生物体に提供するATP結合カセット（ABC）輸送蛋白質の菌類MRP（多剤耐性関連蛋白質）サブファミリーをエンコードする単離されたDNA、その単離されたDNAを含むベクター及びその単離されたDNAで形質転換された生物に関する。本発明のABC輸送蛋白質の菌類MRPサブファミリーで形質転換された生物を、有害物質で汚染された環境浄化に用いることができる。例えば、その形質転換植物を汚染された土壌や水の浄化に使用することによって、安い費用で汚染された資源を浄化できる環境親和的な方法を提供することができる。【選択図】図１
2005505302.tif 000002
【特許請求の範囲】
【請求項１】
鉛に対し耐性及び蓄積性を示し、かつ、菌類多剤耐性関連蛋白質（MRP）-系統ATP結合カセット輸送蛋白質（MRP-系統ABC輸送蛋白質）をエンコードするDNA分子。
【請求項２】
請求項１に記載のDNA分子において、
前記菌類MRP-系統ABC輸送蛋白質が、YCF１蛋白質、YHL０３５C蛋白質、BPT１蛋白質、YBT１蛋白質及びYOR１蛋白質で構成された群から選択されるDNA分子。
【請求項３】
請求項２に記載のDNA分子において、
前記YCF１蛋白質が配列番号２のアミノ酸配列を有し、そのDNA分子が前記アミノ酸配列をエンコードするヌクレオチド配列を有するDNA分子。
【請求項４】
請求項３に記載のDNA分子において、
YCF１蛋白質をエンコードする前記DNA分子が、配列番号１のヌクレオチド配列を有するDNA分子。
【請求項５】
請求項２に記載のDNA分子において、
前記YCF１蛋白質が、鉛に対する耐性及び蓄積性の他に、カドミウム、砒素及び除草剤の群から選択された１種以上の有害物質に対する耐性及び蓄積性をさらに示すDNA分子。
【請求項６】
請求項５に記載のDNA分子において、
前記除草剤がクロロジニトロベンゼンであるDNA分子。
【請求項７】
請求項２に記載のDNA分子において、
前記YHL０３５C蛋白質が配列番号４のアミノ酸配列を有し、そのDNA分子が前記アミノ酸配列をエンコードするヌクレオチド配列を有するDNA分子。
【請求項８】
請求項７に記載のDNA分子において、
YHL０３５C蛋白質をエンコードする前記DNA分子が、配列番号３のヌクレオチド配列を有するDNA分子。
【請求項９】
請求項１に記載のDNA分子において、
前記菌類MRP-系統ABC輸送蛋白質が、配列番号２のYCF１蛋白質のアミノ酸配列又は配列番号４のYHL０３５C蛋白質のアミノ酸配列と２８％以上の配列相同性を有するDNA分子。
【請求項１０】
請求項９に記載のDNA分子において、
前記菌類MRP-系統ABC輸送蛋白質が、配列番号２のYCF１蛋白質又は配列番号４のYHL０３５C蛋白質のアミノ酸配列と２８％以上の配列相同性を有し、
前記YCF１蛋白質及びYHL０３５C蛋白質が各々、N-末端延長ドメイン、第１膜貫通ドメイン、第１ヌクレオチド結合ドメイン、第２膜貫通ドメイン及び第２ヌクレオチド結合ドメインを有し、
前記菌類MRP-系統ABC輸送蛋白質の各ドメインが、配列番号２のYCF１蛋白質又は配列番号４のYHL０３５C蛋白質の対応する各ドメインのアミノ酸配列と２８％以上の配列相同性を有するDNA分子。
【請求項１１】
請求項１〜１０のいずれか一項に記載の菌類MRP-系統ABC輸送蛋白質をエンコードするDNA分子を有する組換えベクター。
【請求項１２】
請求項１１に記載の組換えベクターにおいて、
pESC-YCF１、ENpCambia-YCF１又はPBI１２１-YCF１である組換えベクター。
【請求項１３】
請求項１１に記載の組換えベクターにおいて、
pESC-YHL０３５C組換えベクター又はpPBI１２１-YHL０３５C組換えベクターである組換えベクター。
【請求項１４】
請求項１〜１０のいずれか一項に記載の菌類MRP-系統ABC輸送蛋白質をエンコードするDNA分子で形質転換された形質転換生物。
【請求項１５】
請求項１４に記載の形質転換生物において、
原核生物又は真核生物である形質転換生物。
【請求項１６】
請求項１５に記載の形質転換生物において、
前記真核生物が動物、植物又は酵母である形質転換生物。
【請求項１７】
請求項１６に記載の形質転換生物において、
前記植物が、シロイヌナズナ、アブラナ、からし菜、タバコ、玉ネギ、ニンジン、キュウリ、さつまいも、ジャガイモ、白菜、大根、レタス、ブロッコリー、ペチュニア、ひまわり、芝、白樺、ポプラ、オリーブ、ヤナギ及び樺の群から選択される形質転換生物。
【請求項１８】
請求項１７に記載の形質転換生物において、
前記形質転換生物が、YCF１シロイヌナズナ（寄託番号KCTC１００６４BP）又はYCF１ポプラである形質転換生物。
【請求項１９】
請求項１７に記載の形質転換生物において、
前記形質転換生物がYHL０３５Cポプラである形質転換生物。
【請求項２０】
請求項１〜１０のいずれか一項に記載の菌類MRP-系統ABC輸送蛋白質をエンコードするDNA分子で形質転換された植物細胞。
【請求項２１】
請求項２０に記載の植物細胞において、
前記植物が、シロイヌナズナ、アブラナ、からし菜、タバコ、玉ネギ、ニンジン、キュウリ、さつまいも、ジャガイモ、白菜、大根、レタス、ブロッコリー、ペチュニア、ひまわり、芝、白樺、ポプラ、オリーブ、ヤナギ及び樺の群から選択される植物細胞。
【発明の詳細な説明】
【技術分野】
【０００１】
本発明は、菌類MRP-系統ABC輸送遺伝子及びその遺伝子で形質転換された形質転換生物に関し、さらに詳しくはYCF１やYHL０３５Cをはじめとする菌類MRP-系統ABC輸送遺伝子を発現させ、鉛、カドミウム、砒素及び除草剤等の有害物質に対する耐性及び蓄積性を向上させた形質転換生物に関する。
【背景技術】
【０００２】
鉛、カドミウム、水銀等の重金属は自然系の食物連鎖を通じて人間の体内に蓄積されて、脳、神経、骨等に慢性的な被害を与え、汚染された環境とその被害は次の世代にも持続される。重金属毒性の代表的な例としては日本で発生した水俣病とイタイイタイ病がある。鉛は重金属の中で最も被害を多く与えている汚染物質であって（Salt, D.E., Smith, R.D., and Raskin, I. Phytoremediation. Annu. Rev. Plant Physiol. Plant Mol. Biol. 49, 643-668 (1998)）、鉛を環境から除去することは非常に重要なことであり、米国政府では子供が成長する環境から鉛を除去するために毎年約５億ドルを支出している（Lanphear, B. P. The paradox of lead poisoning prevention. Science. 281;1617-1618 (1998)）。砒素は飲料水を汚染して皮膚病と癌を起こすので大きな問題となっている。
【０００３】
従来に知られた重金属及び農薬等の毒性物質に対する耐性や蓄積性に関する遺伝子としては、バクテリアの細胞膜から鉛を細胞外部に排出する機能をするバクテリアのP型ATPアーゼ（P-type ATPase）があり（Rensing, C., Sun, Y., Mitra, B., and Rosen, B.P. Pb(ll)-translocating P-type ATPases. J. Biol. Chem. 273: 32614-32617 (1998)）、カドミウム耐性に関する遺伝子としては酵母のYCF１遺伝子、砒素に対する耐性に関する遺伝子として酵母のYCF１遺伝子とACR遺伝子、バクテリアのArsAB等がある。
【０００４】
一方、生物は体内に入った有害物質と結合する生体物質や輸送蛋白質を利用して有害物質の毒性を緩和するメカニズムを有している。このような生命体の有害物質耐性に寄与する遺伝子を利用すれば、現在広く用いられている物理、化学、工学的な環境浄化方法に比べて、非常に経済的で環境親和的に、有害物質で汚染された環境を浄化することができる（Mejare and Bulow, Trends in Biotechnology;2001, Raskin I. and Ensley B. D. Phytoremediaton of Toxic Metals., John Wily & Sons, New York;2000）。特に、植物は外来遺伝子をよく発現して新たな形質を示し、管理が経済的で、美観上良い等、いろいろな長所があって、植物に良い遺伝子を入れて改良して環境浄化に利用しようとする研究が活発に進められており、これを植物利用環境浄化（Phytoremediation）という。
【０００５】
鉛、カドミウム、砒素、農薬等の毒性物質による土壌等の環境汚染が深刻な状況では、これら毒性物質に対し耐性及び／又は蓄積性を示す遺伝子により形質転換された形質転換生物が非常に必要とされている。
【発明の開示】
【発明が解決しようとする課題】
【０００６】
カドミウムを環境から除去するのに利用できる形質転換植物として多様なものが論文で報告されたが（Zhu et al., (1999) Plant Physiol. 119: 73-79, Hirschi et al., (2000) Plant Physiol. 124:125-33, Dominguez-Solis et  al., (2001) J. Biol. Chem. 276: 9297-9302）、鉛や砒素を除去できる植物は報告されたことがない。更に、YCF１で形質転換した生物体を開発して、鉛のみならずカドミウム、砒素、除草剤にも耐性を向上させ、これら有害物質を除去しようとする試みもまだ報告されてはいない。
【課題を解決するための手段】
【０００７】
本発明は、鉛に対し耐性及び蓄積性を示し、かつ、菌類（fungal）MRP-系統ABC輸送蛋白質（多剤耐性関連蛋白質ATP-結合カセット輸送蛋白質、MRP-系統ABC輸送蛋白質）をエンコードするDNA分子に関する。
【０００８】
また、本発明は、MRP-系統ABC輸送遺伝子をエンコードする前記DNA分子を有する組換えベクターに関する。
【０００９】
さらに、本発明は、菌類MRP-系統ABC輸送蛋白質をエンコードする前記DNA分子で形質転換されて有害物質に対し耐性及び／又は蓄積性が向上した形質転換生物に関する。
【発明を実施するための最良の形態】
【００１０】
本発明は、有害物質耐性及び／又は有害物質蓄積性を示す遺伝子、その遺伝子を有するベクター並びにその遺伝子で形質転換された細胞及び生物に関する。
【００１１】
本発明における有害物質耐性及び／又は蓄積性を示す遺伝子は、菌類多剤耐性関連蛋白質（Multidrug resistance associated protein、MRP）-系統ATP-結合カセット輸送蛋白質（以下「MRP-系統ABC輸送蛋白質」という。）をエンコードする遺伝子である。
【００１２】
この菌類MRP-系統ABC輸送蛋白質は、ABC輸送蛋白質の一種であって、細胞質内に存在する様々な有機物質を細胞質外に輸送する役割を果たす。ABC輸送蛋白質は原核生物から人間の肝臓細胞に至るまで様々な生命体に存在し、非常に多様な物質を輸送する。ABC輸送蛋白質が輸送する有機物質には、グルタチオンに結合された重金属や胆汁酸等が含まれる。菌類MRP-系統ABC輸送蛋白質に属するYCF１は、カドミウム、砒素、農薬を液胞に取り入れ、これら有害物質への耐性を付与するということが知られている（Li et al., (1997) Proc. Natl. Acad. Sci. USA 94: 42-47, Ghosh et al., (1999) Proc. Natl. Acad. Sci. USA 96 : 5001-5006）。しかしながら、YCF１を利用してカドミウム、砒素、農薬のすべてに対し耐性が向上した生物体を開発して有害物質の浄化に利用した研究はまだ報告されていない。さらに、YCF１が鉛耐性に寄与しているかどうかはまだ知られておらず、YHL０３５C蛋白質の機能及びこれを発現する形質転換体についても報告されていない。
【００１３】
前記菌類MRP-系統ABC輸送遺伝子は、例えばYCF１（Yeast cadmium factor１）やYHL０３５C遺伝子を含み、更には、アミノ酸配列でYCF１蛋白質及びYHL０３５C蛋白質と２８％以上の配列相同性を有するMRP-系統ABC輸送蛋白質の遺伝子も含む。YCF１及びYHL０３５C遺伝子同士又はそれら蛋白質同士では、互いに２８％の配列相同性を有する。また、この発明は、菌類MRP系統ABC輸送蛋白質をエンコードし、かつ、YCF１やYHL０３５C蛋白質のアミノ酸配列と２８％以上の配列相同性、好ましくは４０％以上の相同性、さらに好ましくは５０％以上の相同性を有するDNA分子を含むことを意図するものである。その例としては、GenBankのアミノ酸配列資料をCLUSTRALWプログラムを利用して比較したとき、YCF１やYHL０３５C蛋白質とアミノ酸配列上２８％以上の相同性を有するBPT１遺伝子、YBT１遺伝子、及びYOR１遺伝子を含むことができる。前記BPT１蛋白質はYCF１とアミノ酸配列で４０％の相同性を有し、YBT１蛋白質はYHL０３５Cとアミノ酸配列で５１％の相同性を有し、YOR１蛋白質はYCF１とアミノ酸配列で２８％の相同性を有する。前記YBT１とBPT１は、菌類MRP-系統ABC輸送蛋白質であって、胆汁酸を輸送することが知られており（Ortiz et al., (1997) Journal of Biological Chemistry 272: 15358-15365, Petrovic et al., (2000) Yeast 16: 561-571）、前記YOR１蛋白質もまた菌類MRP-系統ABC輸送蛋白質であって、多様な薬物を輸送することが知られている（Decottignies et al., (1998) Journal of Biological Chemistry 273: 12612-12622）。
【００１４】
本発明によるMRP-系統ABC輸送蛋白質は、共通のドメイン構造を有すると知られており、N-末端が非常に長くて疎水性ドメインであるN-末端延長ドメイン（N-terminal extension domain）と、第１膜貫通ドメイン（first transmembrane spanning domain）と、細胞質ドメイン（cytoplasmic domain）である第１ヌクレオチド結合ドメイン（first nucleotide binding fold domain）と、第２膜貫通ドメイン（second transmembrane spanning domain）と、C-末端に位置した細胞質ドメインである第２ヌクレオチド結合ドメイン（second nucleotide binding fold domain）とを、有する。
【００１５】
本発明の実施形態において、前記菌類MRP-系統ABC輸送蛋白質は、配列番号２のYCF１蛋白質又は配列番号４のYHL０３５C蛋白質のアミノ酸配列と２８％以上、好ましくは４０％以上、さらに好ましくは５０％以上の配列相同性を有している。前記YCF１蛋白質又はYHL０３５C蛋白質は各々、N-末端延長ドメイン、第１膜貫通ドメイン、第１ヌクレオチド結合ドメイン、第２膜貫通ドメイン及び第２ヌクレオチド結合ドメインを有しており、前記菌類MRP-系統ABC輸送蛋白質の各ドメインが、配列番号２のYCF１蛋白質又は配列番号４のYHL０３５C蛋白質の対応する各ドメインとアミノ酸配列で２８％以上の配列相同性を有していればよい。
【００１６】
有害物質に対し耐性及び蓄積性の両方を与える本発明の遺伝子は、YCF１蛋白質のポリペプチドをエンコードする配列を有するYCF１遺伝子であり、その例として、有害物質耐性及び有害物質蓄積性を示す配列番号２のポリペプチドをエンコードするヌクレオチド配列と、好ましくは鉛に対する耐性及び蓄積性と同様に、カドミウム、砒素及び除草剤で構成される群から１種以上選択された有害物質に対し耐性又は蓄積性を示し、かつ、配列番号２のYCF１ポリペプチドをエンコードするヌクレオチド配列を有するYCF１遺伝子と、さらに好ましくは配列番号１のヌクレオチド配列を有するYCF１遺伝子とがある。YCF１遺伝子はサッカロミセスセレビシエ（Saccharomyces cerevisiae）の６番目の染色体に存在する。YCF１遺伝子は蛋白質が発現したときにその機能を発揮するため、本発明は、YCF１蛋白質のアミノ酸配列と２８％以上の相同性、好ましくは４０％以上の相同性、さらに好ましくは５０％以上の相同性を有し、かつ、有害物質に対する耐性及び蓄積性に寄与する蛋白質及びそれらをエンコードするDNA分子を包含するように意図されている。
【００１７】
YCF１蛋白質は、ABC輸送蛋白質の一種であって、酵母の液胞膜に存在し、エネルギー源としてMgATPを利用しながら細胞質内のグルタチオンと結合したカドミウムを液胞内部に移動させ、カドミウムの毒性を緩和することが知られている（Li, Z.S. et al. A new pathway for vacuolar cadmium sequestration in Saccharomyces cerevisiae: YCF1-catalyzed transport of bis(glutathionato)cadmium. Proc. Natl. Acad. Sci. USA 94, 42-47 (1997)）。
【００１８】
有害物質に耐性及び／又は蓄積性を示す遺伝子の他の例としてはYHL０３５C遺伝子があり、鉛に対する耐性を示し、かつ、配列番号４のポリペプチドをエンコードするヌクレオチド配列、さらに好ましくは配列番号３のヌクレオチド配列を有するYHL０３５C遺伝子が提供される。YHL０３５C遺伝子はサッカロミセスセレビシエの８番目の染色体に存在し、YHL０３５C蛋白質はMRP-系統ABC輸送蛋白質の一種となっている。YHL０３５C遺伝子は蛋白質が発現したときにその機能を発揮するため、本発明は、YHL０３５C蛋白質のアミノ酸配列と２８％以上の相同性、好ましくは４０％以上の相同性、さらに好ましくは５０％以上の相同性を有し、かつ、有害物質に対する耐性及び蓄積性に寄与する蛋白質及びそれらをエンコードするDNA分子を包含するように意図されている。
【００１９】
また、本発明は、前記菌類MRP-系統ABC輸送蛋白質をエンコードする前記DNA分子を有する組換えベクターを提供し、好ましくは前記YCF１遺伝子又はYHL０３５C遺伝子を有する組換えベクターを提供する。その組換えベクターの具体的な例として、pESC-YCF１、ENpCambia-YCF１若しくはPBI１２１-YCF１組換えベクター又はpESC-YHL０３５C組換えベクター及びpPBI１２１-YHL０３５Cが含まれる。これら組換えベクターの製造は、本発明が属する技術分野の通常の知識を有する者による公知の製造方法で行うことができる。
【００２０】
本発明において、有害物質には、鉛、カドミウム、砒素等を含む重金属や、農薬及び除草剤等が含まれる。前記除草剤は一般に低分子量の親油性化合物であって、植物細胞壁を容易に通過し、植物に特異な過程、例えば光合成電子輸送や必須アミノ酸の生合成代謝等を阻害するものとして知られており、その例としては、クロロスルフロン、アキシドフルオルペン、ノルフルラゾン、クロロ-ジニトロベンゼン（CDNB）等がある。
【００２１】
したがって、本発明のYCF１蛋白質とYHL０３５C蛋白質のポリペプチドをエンコードするヌクレオチド配列を含むDNA分子やこれとの相同性が２８％以上であるDNA分子を使用して、有害物質を蓄積するだけでなく有害物質に耐性を示す形質転換生物を製造することができ、そのように製造された形質転換生物を利用して、簡単で経済的に有害物質汚染地を浄化することができる。
【００２２】
また、本発明は、前記菌類MRP-系統ABC輸送蛋白質をエンコードする前記DNA分子で形質転換された形質転換生物に関する。また、本発明は、前記菌類MRP-系統ABC輸送蛋白質をエンコードする前記DNA分子で形質転換された形質転換細胞、好ましくは植物細胞に関する。前記ABC遺伝子は前述した全ての遺伝子を含み、好ましい例としてはYCF１遺伝子及びYHL０３５C遺伝子がある。
【００２３】
前記形質転換生物は原核生物又は真核生物が好ましく、その例としては植物、動物、酵母、大腸菌及び菌類等がある。形質転換植物は遺伝工学的な方法に従う異種DNA配列を有し、植物細胞、植物組織又は植物体で適切に発現されて製造される。植物形質転換体は公知の技術で製造することができ、アグロバクテリウムツメファシエンスを媒介としたDNA転移（Agrobacterium tumefaciens-mediated DNA transfer）が代表的なものである。さらに好ましくは、電気衝撃、微粒子注入又は遺伝子銃で構成された群から選択された方法で製造された組換えアグロバクテリアを、浸漬方法で植物に導入することである。本発明の実施形態において、形質転換植物は、転写及び翻訳が可能に連結されたMRP-系統ABC輸送蛋白質をコードする配列を有する発現カセットを製造し、前記発現カセットを有する組換えベクターを製造し、前記組換えベクターを植物細胞又は植物組織に導入して製造することができる。
【００２４】
前記植物には、シロイヌナズナ、アブラナ、からし菜、タバコ、玉ネギ、ニンジン、キュウリ、さつまいも、ジャガイモ、白菜、大根、レタス、ブロッコリー、ペチュニア、ひまわり、芝等の草本植物が含まれ、更に、オリーブ、ヤナギ、白樺、ポプラ及び樺を含む木本植物が含まれ、好ましくはポプラ及びシロイヌナズナが用いられる。
【００２５】
本発明の実施形態において、前記形質転換生物には、YCF１シロイヌナズナ（寄託番号KCTC１００６４BP）、YCF１ポプラ、又はYHL０３５Cポプラが含まれてもよい。本発明のYCF１シロイヌナズナは、大韓民国大田広域市儒城区オウン洞５２番地にある生命工学研究所遺伝子銀行に２００１年９月５日付で寄託されており、寄託番号はKCTC１００６４BPである。前記YCF１シロイヌナズナは、組織培養で無性生殖でき、通常の植物細胞培養方法及び分化方法に従う植物に成長することができる。YCF１シロイヌナズナは、野生型に比べて重金属及び他の有害物質に対する耐性（図６、７、８）及びその蓄積性（図９）に優れており、特に、鉛、カドミウム、砒素及び農薬に対して耐性及び蓄積性を示す。
【００２６】
本発明のYCF１ポプラとYHL０３５Cポプラ植物は、組織培養で無性生殖することができ、通常の植物細胞培養方法及び分化方法に従う植物に成長することができる。YCF１ポプラとYHL０３５Cポプラ植物は、野生型に比べて鉛に対する耐性（図１０、図１１）が優れている。
【実施例】
【００２７】
以下、本発明の理解のために好ましい実施例を提示する。しかし、下記の実施例は本発明をより容易に理解するために提供されるものであり、本発明が下記の実施例に限られるわけではない。
【００２８】
［実施例１］YCF１変異酵母の鉛及びカドミウムに対する敏感性
野生型酵母（DTY１６５）とycf１変異酵母（DTY１６７、MATa ura３ leu２ his３ trp３ lys２ suc２ ycf::hisG）を、YPD液体培地（１％酵母抽出物、２％ペプトン、２％ブドウ糖）でOD６００が１-２に到達するまで３０℃で培養し、その後、同じ数の酵母細胞（１×１０2、１×１０3、１×１０4又は１×１０5）を３mMの鉛が添加された１／２希釈のYPD固体培地で３日間３０℃で培養した。同様に、それら酵母細胞を０．１mMのカドミウムが添加された１／２希釈のYPD固体培地で培養した。その実験結果を図１に示した。
【００２９】
図１に示すように、ycf１変異酵母は、野生型酵母に比べて３mMの鉛を含む培地では成長が減少し、ycf１変異酵母は、０．１mMのカドミウムを含む培地ではほとんど成長しなかった。したがって、YCF１が鉛又はカドミウムに対し耐性を与える遺伝子であることが確認できた。
【００３０】
［実施例２］クローニングベクターの製造
２-１:クローニングベクター（PESC-YCF１）
YCF１遺伝子を単離するために、野生型酵母を３mlのYPD液体培地で３０℃で１２時間放置し、その後、遠心分離（１２,０００rpm、２０-６０秒）した。得られたペレットを４００μlの酵母分解緩衝液（yeast lysis buffer:１M sobitol、０．lM EDTA、５０mM DTT（pH７．５））で懸濁し、その懸濁物に４０μｌのチモラーゼ（zymolase、５mg／１ml、０．９M sobitol）を添加し、その後、それらを３７℃で１５-３０分間放置した。その後、それらを、４００ｍｌのウレア緩衝液（７Mウレア、０．３１２５M NaCl、０．０５M Tris-HCl（pH８．０）、０．０２M EDTA（pH８．０）、１％ Sarcosine）と混合し、フェノール／クロロホルムと混合して上澄みを単離した。その上澄みを１mlの１００％エタノールと混合して遠心分離し（１２,０００rpm、１０分）、その後沈殿したDNAをTE緩衝液（１０mM Tris-HCl、１mM EDTA pH８．０）で懸濁した。その単離したDNAを鋳型として、YCFaプライマー（配列番号３）、YCFbプライマー（配列番号４）及びLA taq重合酵素キット（LA taq polymerase kit、Takara）を用いてPCRを実施し、YCF１遺伝子を単離した。
【００３１】
酵母のYCF１遺伝子が鉛耐性に関与することを立証するために、上記で単離したYCF１遺伝子を、pESC-URA（酵母シャトルベクター、stratagene）ベクターに組み込んでクローニングした。つまり、YCF１PCR産物をXhoIとScaI制限酵素で切断してYCF１（Xho I／Sca I）を用意し、pESC-URAベクターをHind IIIで消化し、クレノウフラグメントとdNTPsで処理して平滑末端を有するベクターを作製し、XhoI制限酵素で切断した。上記YCF１（Xho I／Sca I）と消化済みのpESC-URAベクター（Xho I／平滑末端）とを、T４DNAリガーゼで連結して組換えベクターpESC-YCF１を製造した。
【００３２】
２-２:クローニングベクター（PESC-YHL０３５C）
実施例２-１で使用した酵母ゲノムDNAを鋳型として、YHL０３５Caプライマー（配列番号９）、YHL０３５Cbプライマー（配列番号１０）及びLA taq重合酵素キット（LA taq polymerase kit、Takara）を用いてPCRを実施してYHL０３５C遺伝子を単離したことを除いては、実施例２-１と実質的に同一に行った。
YHL０３５Ca:５’-cgacgcggccgcatgggaacggatccccttattatc-３’
YHL０３５Cb:５’-cgacgcggccgccatcatcttacttgattgcttgg-３’
【００３３】
酵母中でYHL０３５C遺伝子を発現させるために、YHL０３５C遺伝子をpESC-URA（酵母シャトルベクター、stratagene）ベクターに組み込んでクローニングした。YHL０３５C PCR産物をNotlで切断し、T４ DNAリガーゼを用いてpESC-URAベクターと連結し、組換えベクターpESC-YHL０３５Cを製造した。
【００３４】
［実施例３］YCF１組換え酵母の鉛及びカドミウム耐性
ycf１変異酵母に中空ベクター（empty vector）を導入した組換え酵母（ycf１-pESC酵母）、野生型酵母に中空ベクターを導入した組換え酵母（wt-pESC酵母）及びycf１変異酵母中でYCF１を過剰発現させた組換え酵母（ycf１-YCF１酵母）を各々製造して鉛又はカドミウム耐性を実験した。
【００３５】
３-１:YCF１組換え酵母の製造
３ml液体YPD培地に酵母を接種して３０℃で１２時間培養し、その培養物の０．５mlを１０mlの液体YPD培地に移し変え、OD６００が０．５-０．８に到達するまで３０℃で６-８時間培養した。その結果得られた培養液を遠心分離して（１,５００rpm、５分）酵母を収集し、その収集した酵母を５mlの緩衝液（０．１M LiOAc、TE、pH７．５）で懸濁して遠心分離した。遠心分離した酵母を緩衝液（０．１M LiOAc、TE（pH７．５））で再度懸濁して攪拌培養器で１時間３０℃で培養し、pESC、pESC-YCF１又はpESC-YCF１プラスミドとサケDNA精巣（salmon testis DNA）を添加して３０℃で３０分間培養した。培養した酵母を０．７mlの緩衝液（４０％PEG３３００、０．１M LiOAc、TE（pH７．５））と混合し、３０℃で１時間振とう培養した。その後、上記混合物を４２-４５℃で５分間放置して熱衝撃を加え、遠心分離（２５００rpm、５分）して酵母を収集した。その酵母を、１mlのTE緩衝液（pH７．５）で洗浄し、０．２mlの水又はTE緩衝液（pH７．５）で懸濁し、その後、選別培地（CM Ura-）で２-３日間培養して形質転換酵母（ycf１-pESC酵母、wt-pESC酵母、ycf１-YCF１酵母）を選別した。
【００３６】
３-２:組換え酵母の鉛及びカドミウムに対する耐性
前記で製造されたycf１-pESC酵母、wt-pESC酵母、及びycf１-YCF１酵母を各々、１．８mMの鉛が添加されたガラクトース培地（２％ガラクトース、１％０．１７％のYNB、０．１３％dropout powder、０．５％ammonium sulfate）、又は５０uMのカドミウムが添加されたガラクトース培地で培養した。対照群（Control group）を、重金属が添加されていないガラクトース培地で培養した。鉛又はカドミウムを含む培地における組換えycf１-pESC酵母、wt-pESC酵母、ycf１-YCF１酵母のそれぞれの成長程度を、図２の写真に示した。
【００３７】
図２から、ycf１変異酵母中でYCF１を過剰発現させたycf１-YCF１酵母が、鉛又はカドミウムを含む培地のycf１-pESC酵母又はwt-pESC酵母よりよく成長し、YCF１遺伝子がカドミウム耐性に重要な役割を果たすという上記結果を支持することを確認することができる。加えて、この遺伝子が鉛耐性にも重要であるということを新しく確認した。
【００３８】
３-３:組換え酵母におけるYCF１発現
実施例３で製造したycf１-pESC酵母、wt-pESC酵母及びycf１-YCF１酵母におけるYCF１の発現を確認するため、ノーザンブロットを実施した。
【００３９】
各組換え酵母を液体窒素に入れて粉砕し、全RNA抽出緩衝液（０．２５M Tris HCl pH９．０、０．２５M NaCl、０．０５M EDTA、０．３４５M p-Aminosalicylic acid、０．０２７M triisopropyl naphthalene sulfonic acid、０．０２％β-mercaptoethanol、０．０２４％phenol）をフェノール／クロロホルムと１：１の同率で混合した。１２,０００rpmで１０分間遠心分離して得た上澄みを新しいチューブに移し、それに４００μlのイソプロパノールを添加した。再び１２，０００rpmで１０分間遠心分離してRNAを沈殿させ、その後、DEPCで処理された水に溶かして冷凍室に保管した。
【００４０】
ノーザンブロットを実施するために、３０μgのRNAをRNA用アガローズゲル上で電気泳動し、ナイロン膜に転移させた。そのナイロン膜を、混成化（hybridization）反応液（６×SSPE、０．５％SDS、１０％PEG、１％nonfatmilk、５０％formamide）中で４２℃で２時間攪拌しながら培養した。そして、32P dCTPで標識されたYCF１をそこに入れ、４２℃で１２時間反応させた。混成化反応後、そのナイロン膜を緩衝液（２×SSPE及び０．５％SDS）で２回洗浄し、他の緩衝液（０．２×SSPE、０．５％SDS）で洗浄し、乾燥させ、その後Ｘ線フィルムに撮影した。その実験結果を図２Bに示した。
【００４１】
図２Bの、３種の組換え酵母のノーザンブロット写真から、ycf１-YCF１酵母がYCF１mRNAを過剰発現していることが確認できる。つまり、実施例３-２で示されたycf１-YCF１酵母の鉛及びカドミウム耐性はYCF１の過剰発現によるものであることが立証された。
【００４２】
３-４:鉛及びカドミウム耐性メカニズム
YCF１遺伝子による鉛及びカドミウム耐性が重金属の細胞内蓄積によるものであるか、又は細胞外排出によるものであるかを確認するため、実験を実施した。
【００４３】
３種の酵母（ycf１-pESC酵母、wt-pESC酵母、及びycf１-YCF１酵母）を、１．５mMの鉛又は１５uMのカドミウムを含む１／２ガラクトース固体培地で一日間それぞれ培養し、培養した酵母を掻き出して収集した。収集した酵母を１mlの濃硝酸に入れ、２００℃で約６時間消化し、その後、１０mlの０．５Nの硝酸で希釈し、原子吸光分析器（atomic absorption spectrometer:AAS）を用いて酵母に含まれた重金属量を測定した。ycf１-pESC酵母、wt-pESC酵母、及びycf１-YCF１酵母の測定結果を、図３にグラフで示した。
【００４４】
その結果、wt-pESC酵母とycf１-YCF１酵母はycf１-pESC酵母に比べて鉛及びカドミウムの蓄積程度が高く、特にwt-pESC酵母とycf１-YCF１酵母はycf１-pESC酵母より約２倍程度高い鉛蓄積性を示した。したがって、YCF１遺伝子による鉛及びカドミウム耐性は、これら重金属の細胞内蓄積によるものであることが確認された。
【００４５】
［実施例４］YHL０３５C組換え酵母の鉛耐性
４-１:組換え酵母の製造
前記実施例３-１と実質的に同様な方法で、yhl０３５c変異酵母に中空ベクターを導入した組換え酵母（yhl０３５c-v酵母）、野生型酵母に中空ベクターを導入した組換え酵母（wt-v酵母）及びyhl０３５c変異酵母でYHL０３５Cを過剰発現させた組換え酵母（YHL０３５C酵母）をそれぞれ製造し、形質転換した酵母（wt-v酵母、yhl０３５c-v酵母、YHL０３５C酵母）を選別した。これら組換え酵母を利用して鉛に対する耐性実験を行った。
【００４６】
４-２:組換え酵母の鉛耐性実験
前記実施例３-２と実質的に同様な方法で、wt-v酵母、yhl０３５c-v酵母及びYHL０３５C酵母における鉛耐性を試験した。鉛を含む培地での各組換えwt-v酵母、yhl０３５c-v酵母及びYHL０３５C酵母の成長程度を図４に写真で示した。
【００４７】
図４に示すように、yhl０３５c変異酵母であるyhl０３５c-vは、１．８mMの鉛を含む培地でwt-v酵母より敏感であった。しかし、yhl０３５c変異酵母でYHL０３５Cを発現させたYHL０３５C酵母は、再び鉛に対する耐性を回復し、１．８mMの鉛を含む培地でwt-v酵母と同様な成長を示した。したがって、YHL０３５C遺伝子は鉛耐性に重要な役割を果たすということが新しく分かった。
【００４８】
［実施例５］形質転換植物の製造
５-１:植物形質転換用YCF１ベクター及びYHL０３５Cベクターの製造
植物にYCF１遺伝子を導入するために、pESC-YCF１プラスミドのBamHI／SnaBI断片である４．６kbのYCF１をPBI１２１（BamH I／Sma I）に挿入して、PBI１２１-YCF１ベクターを製造した。YCF１遺伝子の発現を向上させるためにEnPCAMBIA１３０２-YCF１ベクターを製造した。PCAMBIA１３０２ベクターをSal I制限酵素で切断し、クレノウフラグメントとdNTPsで処理して平滑末端を有するベクターを製造し、BamHIで消化したそのベクターに３５Sエンハンサー（BamH I／平滑末端）を挿入し、EnPCAMBIA１３０２ベクターを製造した。EnPCAMBIA１３０２ベクターのBglII／PmlI部位にYCF１遺伝子（BamHI／平滑末端）を挿入して、EnPCAMBIA１３０２-YCF１ベクターを製造した。
【００４９】
エレクトロポレーター（electroporator、BIO-RAD）を用いて、PBI１２１-YCF１ベクター及びEnPCAMBIA１３０２-YCF１ベクターを大腸菌に導入し、LB固体培地で培養した。シングルコロニーを３ｍlのLB（Amp）液体培地に接種し、１２-１６時間培養し、遠心分離して形質転換された大腸菌を集菌した。１００μlの溶液I（５０mM glucose、２５mM Tris-HCl（pH８．０）、１０mM EDTA）を、集金した大腸菌に添加して懸濁させ、ここに２００μlの溶液II（１％SDS、０．２N NaOH）を添加し、その混合物を軽く混合し、氷上で５分間放置した。その後、１５０μlの溶液III（５M Potassium acetate）を上記混合物に添加し、それを３-５回ゆっくり混合し、遠心分離（１２,０００rpm、１０分）して上澄みを収集した。その上澄みを１００％エタノールと混合してDNAを沈殿させ、そのDNAを単離して乾燥させた。このようにして得られたPBI１２１-YCF１プラスミドDNAをTE緩衝液に溶解させてBamHIとEcoRI制限酵素で切断し、YCF１遺伝子が正しい方向で挿入されたことを確認した。
【００５０】
植物にYHL０３５C遺伝子を導入するために、前記植物形質転換用YCF１ベクターの製造と実質的に同様な方法でpBI１２１-YHL０３５Cベクターを製造した。但し、実施例２で製造したpESC-YHL０３５CベクターからYHL０３５C遺伝子を切り出し、その遺伝子の両端にSacIとEcoICR１制限酵素部位を作製し、それをSacIとSmaI制限酵素で切断したpBI１２１ベクターに入れてpBI１２１-YHL０３５Cベクターを製造した。
【００５１】
５-２:形質転換シロイヌナズナ植物の製造
前記実施例５-１で製造したPBI１２１-YCF１及びEnPCAMBIA１３０２-YCF１ベクターをアグロバクテリア（Agrobacterium LBA４４０４）に導入した。形質転換されたアグロバクテリアを、カナマイシンを含むMS（Murashige-Skoog）培地で選別し、浸漬法（dipping method; Clough, S.J., and Bent, A.F., Floral dip: a simplified method for Agrobacterium-mediated transformation of Arabidopsis thaliana. Plant J. 16, 735-743 (1988)）により、シロイヌナズナ植物（Arabidopsis thaliana）の花に感染させて、YCF１遺伝子を植物に導入した。４-５週後、シロイヌナズナの種を収穫し、PBI１２１-YCF１ベクターで形質転換された植物はカナマイシンで、EnPCAMBIA１３０２-YCF１ベクターで形質転換された植物はヒグロマイシンでYCF１シロイヌナズナ植物を選別した。
【００５２】
全５種のYCF１シロイヌナズナ植物を収得し、それら植物をYCF１mRNAの発現レベルで試験し、発現したmRNAがYCF１mRNAのＣ末端の７００bpを含むかどうかで、その全長mRNAが発現したことを保証した。まず、５種のYCF１シロイヌナズナ植物からmRNAを抽出し、配列番号５／配列番号６のプライマーを用いてRT-PCRに供した。そのRT-PCR結果を図５Ａに示した。図５Ａに示すように、１、３、４及び５番植物で７００bpのYCF１の発現を確認し、特に４番と５番の植物でYCF１の発現が高く示された。
【００５３】
前記RT-PCR産物に対してサザンブロットを実施し、その結果を図５Ｂに示した。図５Ｂから、図５Ａの１、３、４、及び５番植物で発現した遺伝子がYCF１で、野生型YCF１ mRNAが完全に転写されていることがわかり、図５Ａの結果と同一結果であるのを確認した。前記YCF１発現の高いYCF１シロイヌナズナ植物は大韓民国大田広域市儒城区オウン洞５２番地にある生命工学研究所遺伝子銀行に２００１年９月５日付で寄託して寄託番号はKCTC１００６４BPである。
【００５４】
５-３:形質転換ポプラの製造
形質転換用植物として、野外で選抜した開花していない変異ヤマナラシ（Populus albaxP．glandulosa）クローンであるBong-hwa１を増殖して使用した。ポプラの試験管内での無菌材料確保のために韓国森林研究所で保存している苗床から茎を分与してもらったものをし、７０％エタノール（５分）、２％のNaCl（２０分）で表面殺菌した後、MS培地で４週培養で発生した茎を形質転換試料として利用した。
【００５５】
目的遺伝子が含まれたアグロバクテリアを利用して形質転換とカルス誘発、茎育成等の過程はNoh等の方法（ポプラの遺伝工学（２００２））、ノウンウン等の著述（ISBN #８９-８１７６-０９８-５９３５２０）を利用した。前記実施例５-２で製造した、PBI１２１-YCF１及びEnPCAMBIA１３０２-YCF１ベクターが導入されたアグロバクテリウムツメファシエンスをLB培地に接種した後、３０℃で一夜培養し、１,０００Gで１０分間遠心分離した後、培地を捨ててペレットを０．８５％のNaCl溶液に懸濁させた。この懸濁液をペトリ皿に注いだ後、試験管内で培養されたポプラの節間組織を２０分間浸漬した。その後、消毒された吸湿ろ紙２枚の間に入れて軽く押して過度なアグロバクテリアを除去し、抗生剤が添加されていないカルス誘導培地（MS＋２．４-D １．０mg／L、BA ０．１mg／L、NAA ０．０１mg／L）（Murashige and Skoog．１９６２）で２日間共に培養した後、５０mg／Lのカナマイシンと５００mg／Lのセフォタキシム（cefotaxime）の添加された選抜培地を使用して形質転換細胞を選抜した。
【００５６】
形成されたカルスは茎育成培地（WPM＋zeatin １．０mg／L、BA ０．１mg／L、NAA ０．０１mg／L）（Lloyd and McCown、１９８１）に５０mg／Lのカナマイシンを添加して茎を育成した。一旦茎が育成されれば、５０mg／Lのカナマイシンを添加したMS基本培地に継代培養して茎を伸張させ、根は同じ培地にIBA ０．２mg／Lを添加して植物体を誘導した。
【００５７】
［実施例６］有害物質存在下における形質転換シロイヌナズナ植物の成長
実施例５で製造したYCF１シロイヌナズナ植物を、鉛（０．９、１、１．１mM）、カドミウム（５０、６０、７０μM）、除草剤クロロ-ジニトロベンゼン（CDNB、６０μM）及び五価の砒素（５０μM）を含む１／２MS培地で培養して成長程度を確認した。対照として、中空ベクターで形質転換させたシロイヌナズナ植物（PBI）及び野生型（wt）植物を用いた。その実験結果を図６から図８に示した。
【００５８】
図６は、YCF１形質転換シロイヌナズナ植物の成長程度を示した写真とグラフである。図６に示すように、YCF１シロイヌナズナと対照植物を鉛が含まれている培地で３週間育てたとき、YCF１シロイヌナズナ（１、３、４、５）は、PBI中空ベクター形質転換植物及び野生型（wt）より葉の黄白化が少なく、根の発育も良かった（A、B、D）。また、様々な濃度のカドミウム培地でYCF１と野生型（wt）シロイヌナズナ植物を育てたとき、野生型（wt）シロイヌナズナ植物は、YCF１形質転換体より葉の黄白化が多く、その根もよく発育せず短かった（C、E）。
【００５９】
図７は、砒素に対するYCF１形質転換シロイヌナズナ植物の耐性を示した写真である。６０μMの５価の砒素が入っている培地で３週間育てたとき、野生型シロイヌナズナ（wt）はほとんど成長しなかったが、YCF１形質転換体（１、２、３、４）は野生型に比べて発育が非常に良かった。
【００６０】
図８は、CDNBに対するYCF１形質転換シロイヌナズナ植物の耐性を示した写真である。YCF１シロイヌナズナと対照植物をCDNB６０μMが入っている培地で２ヶ月間育てたとき、野生型植物はほとんど発芽せずに枯れたが、YCF１シロイヌナズナ植物はよく発育し、正常の植物と略同様に育った。
【００６１】
したがって、実施例５のYCF１形質転換シロイヌナズナ植物は、鉛、カドミウム、砒素、除草剤に対し耐性を有することが確認された。
【００６２】
［実施例７］形質転換シロイヌナズナ植物の重金属蓄積性
前記実施例５で得たYCF１シロイヌナズナ植物と中空ベクターで形質転換した野生型シロイヌナズナPBIとを、鉛（０．７５mM）及びカドミウム（７０μM）が含まれている１／２MS培地で３週間培養して重金属蓄積性を確認した。鉛又はカドミウムの蓄積量を、前記実施例６と実質的に同一な実験方法で確認してその結果を図９に示した。図９Ａは鉛の蓄積量を示し、図９Ｂはカドミウムの蓄積量を示したものである。
【００６３】
図９Ａに示すように、YCF１シロイヌナズナ植物はPBIに比べて２倍又は１．４倍の高い鉛蓄積性を示した。また、図９Ｂに示すように、YCF１シロイヌナズナ植物はPBIに比べて２倍又は３倍のカドミウム蓄積性を示した。
【００６４】
したがって、YCF１シロイヌナズナ植物は、野生型シロイヌナズナに比べて高い鉛及びカドミウム蓄積性を有することを確認した。
【００６５】
［実施例８］YCF１形質転換植物の有害物質耐性メカニズム
YCF１形質転換植物は、鉛、カドミウム、砒素及び除草剤に対し耐性を示し、鉛とカドミウムに対し蓄積性を示した。この現象が、YCF１蛋白質が重金属を液胞に輸送して起こったものであるかどうかを確認するために、YCF１形質転換植物と野生型植物（wt）から液胞を分離して、カドミウム及び除草剤に対する輸送実験を行った。YCF１形質転換植物及び野生型植物の液胞におけるカドミウム（Cd+GSH）及び除草剤（DNB-GS）の輸送実験結果を下記表１に示した。
【００６６】
シロイヌナズナから分離した液胞内GS-関連化合物の蓄積量（単位:pmol／１μl液胞／２０分）
【表１】
2005505302.tif 000003
【００６７】
前記表１に示すように、YCF１は物質を輸送するときエネルギー源としてMgATPを用いるので、-MgATPグループにおいては、YCF１形質転換体と野生型植物との間でカドミウム（Cd+GSH）及び除草剤（DNB-GS）の蓄積量に差がなかった。しかしながら、MgATPを添加したとき、YCF１形質転換体液胞は野生型液胞よりカドミウム（Cd+GSH）の蓄積量が約１．７倍高かった。除草剤（DNB-GS）の場合、YCF１形質転換体は野生型より多少蓄積量が高かった。
【００６８】
図６、７、８、及び９から、YCF１形質転換シロイヌナズナ植物は、野生型より、鉛、カドミウム、砒素及び除草剤に対して強い耐性を有し、鉛及びカドミウムを多く蓄積することを確認した。表１の結果から、この現象が、YCF１形質転換シロイヌナズナ植物の液胞で発現したYCF１蛋白質がカドミウム及び除草剤を液胞に輸送してそれらを安定化させ、それによって有害物質に対し耐性と蓄積性を有するという事実に起因することが支持された。
【００６９】
［実施例９］形質転換ポプラ植物の成長
９-１:YCF１形質転換ポプラ植物
実施例５で得たYCF１ポプラ植物の葉と茎の片を、５００ppmの鉛が含まれているカルス誘導培地上に置いて、２週間培養して成長程度の違いを確認した。対照として、形質転換させなかった野生型ポプラ（wt）植物を同じ方法で処理してその実験結果を図１０に示した。図１０は、YCF１形質転換ポプラ植物及び対照植物の成長程度を示した写真とグラフである。
【００７０】
図１０に示すように、鉛を含む培地では、YCF１ポプラ（１、２、３、４）は野生型（wt）より約２倍程度茎の断片が発育し（Ａ、Ｃ）、YCF１ポプラ（１、２、３）の葉の切片は野生型（wt）より褐変が少なく、葉緑素の緑色を維持した（Ｂ）。
【００７１】
９-２:YHL０３５C形質転換ポプラ植物
実施例５で得たYHL０３５C形質転換ポプラ植物をポットに移してポット苗に育成した。そのポット苗を、５００ppmのPb(NO)3を含む溶液に浸漬させた土壌に移し植えた。その実験結果を図１１に示した。
【００７２】
図１１は、鉛含有の土壌で４週間裁培したとき、野生型ポプラ（wt）はほとんど成長しないが、YHL０３５C形質転換ポプラは野生型より発育が非常に良いということを示す写真である。したがって、実施例５で得たYCF１形質転換ポプラ植物とYHL０３５Cポプラ植物は、鉛に対し耐性を有することが確認された。
【００７３】
上述のように、本発明のYCF１遺伝子は重金属及び他の有害物質に対し耐性及び蓄積性を向上させ、YHL０３５C遺伝子は鉛耐性を向上させる。それゆえ、これら遺伝子を発現可能な形質転換体を、有害物質で汚染された環境の浄化の目的に使用することができる。したがって、本発明の形質転換体は、安い費用で環境を浄化する環境親和的な方法を提供する。
【００７４】
［関連出願の他個所参照］
本出願は、韓国特許庁に提出された２００１年１０月１６日付大韓民国特許出願第２００１-００６３８０２号、及び２００２年１０月１５日付大韓民国特許出願第２００２-００６２９８４号に基づいている。
【図面の簡単な説明】
【００７５】
【図１】図１は、対照（control）、鉛又はカドミウム含有培地で成長する野生型酵母及びYCF1無し（ycf1）酵母の写真であって、そのycf1変異酵母が野生型酵母と比べて鉛及びカドミウムに対し敏感であることを示す。
【図２】図２Ａ及び図２Ｂは、対照、鉛又はカドミウム含有培地で成長する、中空ベクターで形質転換した野生型酵母（wt-pESC酵母）、中空ベクターで形質転換したycf１酵母（ycf１-pESC）及びYCF１-形質転換ycf（ycf1-YCF1）酵母の写真（Ａ）と、それら酵母株のノーザンブロット結果（B）とを、示す。
【図３】図３Ａ及び図３Ｂは、ycf１-pESC酵母、wt-pESC酵母及びycf１-YCF１酵母における鉛含有量（Ａ）又はカドミウム含有量（Ｂ）を示すグラフである。
【図４】図４は、対照、鉛含有培地で成長する、野生型酵母、YHL０３５C変異酵母（yhl０３５C-v）及びYHL０３５C-形質転換yhl０３５C-v酵母の写真を示し、yhl０３５C-v酵母が野生型酵母又はYHL０３５Cで形質転換されたyhl０３５C-v酵母より鉛に対し敏感であることを示す。
【図５】図５Ａ及び図５Ｂは、YCF１形質転換シロイヌナズナ植物におけるYCF１の発現を示すRT-PCR結果の写真である。
【図６】図６は、YCF１形質転換シロイヌナズナ植物が鉛及びカドミウムに対し耐性が向上したことを示す写真（Ａ、Ｂ、Ｃ）及びグラフ（Ｄ、Ｅ）である。
【図７】図７は、YCF１形質転換シロイヌナズナ植物が砒素に対し耐性が向上したことを示す写真である。
【図８】図８は、YCF１形質転換シロイヌナズナ植物が除草剤に対し耐性が向上したことを示す写真である。
【図９】図９Ａ及び図９Ｂは、YCF１形質転換シロイヌナズナ植物における鉛含有量（Ａ）及びカドミウム含有量（Ｂ）を示すグラフである。
【図１０】図１０Ａ−Ｃは、YCF１形質転換ポプラ由来の茎（stem calli）及び葉の断片が野生型ポプラと比較して鉛耐性を向上させることを示す一連の写真（Ａ，Ｂ）及びグラフ（Ｃ）である。
【図１１】図１１は、YHL０３５C形質転換ポプラ植物が野生型ポプラ植物より鉛耐性に優れることを示す写真である。
【図１】
2005505302.tif 000004
【図２】
2005505302.tif 000005
【図３】
2005505302.tif 000006
【図６】
2005505302.tif 000007
【図９】
2005505302.tif 000008
【図１０】
2005505302.tif 000009
【国際公開パンフレット】
2005505302.tif 000010
2005505302.tif 000011
2005505302.tif 000012
2005505302.tif 000013
2005505302.tif 000014
2005505302.tif 000015
2005505302.tif 000016
2005505302.tif 000017
2005505302.tif 000018
2005505302.tif 000019
2005505302.tif 000020
2005505302.tif 000021
2005505302.tif 000022
2005505302.tif 000023
2005505302.tif 000024
2005505302.tif 000025
2005505302.tif 000026
2005505302.tif 000027
2005505302.tif 000028
2005505302.tif 000029
2005505302.tif 000030
2005505302.tif 000031
2005505302.tif 000032
2005505302.tif 000033
2005505302.tif 000034
2005505302.tif 000035
2005505302.tif 000036
2005505302.tif 000037
2005505302.tif 000038
2005505302.tif 000039
2005505302.tif 000040
2005505302.tif 000041
2005505302.tif 000042
2005505302.tif 000043
2005505302.tif 000044
2005505302.tif 000045
2005505302.tif 000046
2005505302.tif 000047
2005505302.tif 000048
2005505302.tif 000049
2005505302.tif 000050
2005505302.tif 000051
2005505302.tif 000052
2005505302.tif 000053
2005505302.tif 000054
2005505302.tif 000055
2005505302.tif 000056
2005505302.tif 000057
2005505302.tif 000058
2005505302.tif 000059
2005505302.tif 000060
2005505302.tif 000061
2005505302.tif 000062
2005505302.tif 000063
2005505302.tif 000064
2005505302.tif 000065
2005505302.tif 000066
2005505302.tif 000067
2005505302.tif 000068
2005505302.tif 000069
2005505302.tif 000070
2005505302.tif 000071
2005505302.tif 000072
2005505302.tif 000073
2005505302.tif 000074
2005505302.tif 000075
2005505302.tif 000076
【国際調査報告】
2005505302.tif 000077
2005505302.tif 000078